(57)【要約】【課題】  陶芸用ろくろを主に水平方向へのコンパクト化を図るとともにがたつきを抑えることにある。【解決手段】  この陶芸用ろくろ１は、ターンテーブル３と、モータ５と、支持台７とを備えている。モータ５は、ターンテーブル３を回転駆動し、ターンテーブル３と同軸に配置される回転軸を有する。支持台７は、モータ５を支持し、下方に延びる３本の脚部９を有する。【選択図】      図１
2005074802.tif 000002
【特許請求の範囲】
【請求項１】
ターンテーブルと、
前記ターンテーブルを回転駆動し、前記ターンテーブルと同軸に配置される回転軸を有するモータと、
前記モータを支持し、下方に延びる３本の脚部を有する支持台と、
を備えた陶芸用ろくろ。
【請求項２】
前記ターンテーブルは、前記モータの回転軸に直接連結されている、請求項１に記載の陶芸用ろくろ。
【請求項３】
前記脚部は、固定脚と、前記固定脚に着脱自在に連結される可動脚とをそれぞれ有している、請求項１または２に記載の陶芸用ろくろ。
【請求項４】
前記可動脚は、前記固定脚から長手方向に突出及び退避自在に連結されている、請求項３に記載の陶芸用ろくろ。
【請求項５】
前記固定脚は、前記モータの前記支持台に支持される部分の軸方向長さに応じた長さを有している、請求項３または４に記載の陶芸用ろくろ。
【請求項６】
前記可動脚は、前記固定脚に対し少なくとも２カ所で固定可能である、請求項３から５のいずれかに記載の陶芸用ろくろ。
【請求項７】
前記支持台は、前記可動脚を前記固定脚に固定するためのボルトをさらに有し、
前記可動脚及び固定脚には、前記ボルトが挿入可能な複数の挿入孔が長手方向に並べて形成されており、
前記可動脚の前記固定脚に対する突出量は有段調節可能である、
請求項３から６のいずれかに記載の陶芸用ろくろ。
【発明の詳細な説明】
【技術分野】
【０００１】
本発明は、陶芸用ろくろに関する。
【背景技術】
【０００２】
陶芸用ろくろは、一般に、作陶が行われるターンテーブルと、ターンテーブルを回転駆動するためのモータと、モータが取り付けられる支持台とを備えている。支持台は、ターンテーブル側に配置される天板と、天板の下方に形成された筐体部とを有している。モータは通常、筐体部の内側に他の制御装置と共に配置されている。
【０００３】
従来の陶芸用ろくろとして、ターンテーブルとモータの回転軸とが同軸に配置されたものが既に知られている（例えば、特許文献１参照）。
【０００４】
また、他の従来の陶芸用ろくろとして、天板若しくは筐体部の下端部から下方に延びる複数の脚を備えたものが既に提案されている（例えば、特許文献１乃至３参照）。
【特許文献１】特開２００３−１７５５０７号公報
【特許文献２】米国特許第２４３２７６号明細書
【特許文献３】米国特許第２５３８２８号明細書
【発明の開示】
【発明が解決しようとする課題】
【０００５】
従来の陶芸用ろくろは、上記のように、ターンテーブルとモータの回転軸とを同軸に配置する構成を特徴とするが、それだけでは、例えば、凹凸のある場所に載置して使用する場合にがたつきが生じるおそれがある。
【０００６】
一方、上記のように脚を備える構成を特徴とするのみでは、例えば、支持台のコンパクト化に支障をきたすおそれがある。特に、通常の陶芸用ろくろは、５０ｃｍ程度の高さを有しており、卓上で使用するには高すぎ、コンパクト化は重要である。
【０００７】
本発明の目的は、陶芸用ろくろを主に水平方向へのコンパクト化を図るとともにがたつきを抑えることにある。
【０００８】
本発明の別の目的は、作陶者の体格や好みに応じて、陶芸用ろくろの高さを調整できることにある。
【０００９】
本発明のさらに別の目的は、通常の陶芸用ろくろを卓上型としても使用できるように改善することにある。
【課題を解決するための手段】
【００１０】
請求項１に係る陶芸用ろくろは、ターンテーブルと、モータと、支持台とを備えている。モータは、ターンテーブルを回転駆動し、ターンテーブルと同軸に配置される回転軸を有する。支持台は、モータを支持し、下方に延びる３本の脚部を有する。
【００１１】
請求項２に係る陶芸用ろくろは、請求項１の陶芸用ろくろにおいて、ターンテーブルは、モータの回転軸に直接連結されている。
【００１２】
請求項３に係る陶芸用ろくろは、請求項１または２の陶芸用ろくろにおいて、脚部は、固定脚と、固定脚に着脱自在に連結される可動脚とをそれぞれ有している。
【００１３】
請求項４に係る陶芸用ろくろは、請求項３の陶芸用ろくろにおいて、可動脚は、固定脚から長手方向に突出及び退避自在に連結されている。
【００１４】
請求項５に係る陶芸用ろくろは、請求項３または４の陶芸用ろくろにおいて、固定脚は、モータの支持台に支持される部分の軸方向長さに応じた長さを有している。
【００１５】
請求項６に係る陶芸用ろくろは、請求項３から５のいずれかの陶芸用ろくろにおいて、可動脚は、固定脚に対し少なくとも２カ所で固定可能である。
【００１６】
請求項７に係る陶芸用ろくろは、請求項３から６のいずれかの陶芸用ろくろにおいて、支持台は、可動脚を固定脚に固定するためのボルトをさらに有している。可動脚及び固定脚には、ボルトが挿入可能な複数の挿入孔が長手方向に並べて形成されている。可動脚の固定脚に対する突出量は有段調節可能である。
【発明の効果】
【００１７】
請求項１の陶芸用ろくろでは、ターンテーブルとモータの回転軸とが同軸に配置されていることから、水平方向長さを短縮してコンパクトな設計が可能になり、同時に、３本の脚部によって３点で支持されるため、凹凸のある場所に載置した場合でもがたつきが有効に抑えられる。
【００１８】
請求項２の陶芸用ろくろでは、回転軸にターンテーブルが直接取り付けられるＤＤモータを採用したため、ろくろ全体の軸方向長さも短縮することができる。
【００１９】
請求項３の陶芸用ろくろでは、希望する高さに応じて、可動脚の固定脚に対する着脱を自在に行うことができるため、使い勝手がよくなる。例えば、可動脚を固定脚から取り外した場合は、ターンテーブルを低い位置に配置することができ、特に、請求項５のろくろのように固定脚の長さをモータの軸方向長さに対応させた場合は、ターンテーブルを最も低い位置に配置することができる。
【００２０】
請求項４の陶芸用ろくろでは、脚部の長さが調節自在であるため、作業を行う者の体格、作業時の姿勢、作ろうとする作品の大きさ等に応じてターンテーブルの高さを種々に設定することができ、状況に応じた最適な高さで作業を行うことができる。また、請求項２の陶芸用ろくろと組み合わせることで、設定可能な高さの幅が広がる。
【００２１】
請求項５の陶芸用ろくろでは、固定脚の長さが、通常のモータに比べ軸方向長さの短いＤＤモータの軸方向長さに対応しているため、ターンテーブルの高さを低い位置に設定することができ、これにより、例えば、卓上型として使用することが可能となる。
【００２２】
請求項６の陶芸用ろくろでは、可動脚は、１箇所で固定される場合に比べ、固定脚に対するがたつきが抑えられる。
【００２３】
請求項７の陶芸用ろくろでは、具体的に、ボルトを複数の挿入孔のいずれかに挿入することによって、可動脚の固定脚からの突出量を有段調節することができる。これにより、ターンテーブルを常に水平に保つことができる。
【発明を実施するための最良の形態】
【００２４】
図１に、本発明の一実施形態が採用された陶芸用ろくろ１を示す。
【００２５】
この陶芸用ろくろ１は、ターンテーブル３と、どべ受け４と、ＤＤモータ５と、支持台７とを備えている。
【００２６】
ターンテーブル３は、円板状部材であり、上面側において作業が行われる。ターンテーブル３は、ＤＤモータ５の回転軸６に減速機を介さずに直接装着されている。
【００２７】
どべ受け４は、ターンテーブル３の下方及び側方を覆うよう配置された皿状の部材であり、ターンテーブル３の上面から飛び散るまたは落下するどべ等を受けるためのものである。
【００２８】
ＤＤモータ５は、ターンテーブル３を回転駆動させるためのものであり、好ましくは、ＤＣブラシレスモータが用いられる。ＤＤモータ５は、鉛直方向に延びる回転軸６を有しており、上方側の端部にターンテーブル３がネジ止めされている。回転軸６は、ターンテーブル３及び支持台の上面７ａに対し垂直に延びて配置される。このＤＤモータ５では、支持台７の上面７ａから回転軸６の下方側の端部までの軸方向長さが、減速装置を介してターンテーブル３が装着される場合の軸方向長さの半分程度に短縮されている。
【００２９】
支持台７は、天板部７ｂと、筐体部７ｃと、３本の脚部９とを有している。筐体部７ｃは、天板部７ｂの下面側に形成されており、ＤＤモータ５及び制御装置（図示せず）を内蔵している。また、筐体部７ｃの側面には、電源スイッチ８、正転／逆転切替つまみ１０が設けられている。脚部９はそれぞれ、天板部７ｂの下面側の３カ所（図２参照）に取り付けられている。脚部９はそれぞれ、固定脚１１と、可動脚１３とを有しており、長手方向長さを調節自在である。
【００３０】
固定脚１１は、円筒状の部材であり、ＤＤモータ５の軸方向長さに応じた長さ、具体的には、支持台７の上面７ａと筐体部７ｃの下端部までの長さより僅かに長い長さを有している。固定脚１１の側面部分には、ボルト１５が挿入可能な複数の挿入孔１１ａが長手方向に並べて形成されている。各挿入孔１１ａは貫通されており、ボルト１５が螺号可能な雌ねじが形成されている。複数の挿入孔１１ａは、ここでは、４カ所に設けられており、可動脚１３の下端部１３ｂからターンテーブル３の上端部までの高さが５５５ｍｍ、５２５ｍｍ、４９５ｍｍ、４６５ｍｍの４通りを取り得るよう形成されている。また、固定脚１１は、可動脚１３が取り外されたときの下端部１１ｂからターンテーブル３までの高さが２９０ｍｍとなるような長さを有している。
【００３１】
可動脚１３は、固定脚１１の内周側に収納可能な径の大きさの円筒状の部材である。可動脚１３は、固定脚１１と同様の複数の挿入孔１３ａが形成されており、ボルト１５が任意の挿入孔１１ａ，１３ａに挿入されることにより、上記４通りの長さを取り得る。可動部１３の下端部には、クッショッン性を持たせるために弾性部材で構成されたキャップ１４が装着されている。
【００３２】
ボルト１５は、可動脚１３を固定脚１１に対し所定の位置で固定するためのものである。ボルト１５は、好ましくは、各脚部９において２本ずつ用いられ、図１に示すように、２つの挿入孔１１ａ，１３ａに挿入される。なお、ボルト１５は、必ずしも脚部９に装着されるものではなく、この場合は、可動脚１３を固定脚１１から取り外して、固定脚１１で直接支持することができる。
【００３３】
このように構成された陶芸用ろくろ１では、筐体部７ｃに備え付けられた電源スイッチ８を入れると、ＤＤモータ５が回転駆動してターンテーブル３が回転し始める。このとき、作陶者は、例えば、筐体部７ｃ内の制御装置に接続された操作ペダル（図示せず）の踏み込み量を変えることで、ＤＤモータ５の回転速度を適宜変えることができる。
【００３４】
そして、この陶芸ろくろ１では、作陶者が陶芸用ろくろ１のターンテーブル３の高さを変えたいときは、固定脚１１から可動脚１３を所望の長さだけ突出させて、ボルト１５を外側から挿入孔１１ａ，１３ａに挿入する、あるいは、ボルト１５を脚部９から取り外して可動脚１３を固定脚１１から取り外す。前者の場合は、好ましくは、ボルト１５を、図１に示すように、それぞれ異なる挿入孔１１ａ，１３ａに２本ずつ挿入する。
【００３５】
このような陶芸用ろくろ１によれば、脚部９の長さが調節自在であるため、作業を行う者の体格、作業時の姿勢、作ろうとする作品の大きさ等に応じてターンテーブルの高さを種々に設定することができ、状況に応じた最適な高さで作業を行うことができる。また、このろくろ１では、回転軸６にターンテーブル３が直接取り付けられるＤＤモータ５を採用したため、ろくろ１全体の軸方向長さを短縮することができ、設定可能な高さの幅が広がる。これにより、例えば、陶芸用ろくろ１を机等の上に載置して作業を行うことが可能となる。また、ＤＤモータ５を用いたことにより、低速回転時のターンテーブル３の安定性が得られる。
【００３６】
［他の実施形態］
モータは、ＤＤモータに限定されず、ターンテーブルとの間に減速機を介していてもよい。
【産業上の利用可能性】
【００３７】
本発明によれば、ターンテーブルとモータの回転軸とが同軸に配置されていることから、水平方向長さを短縮してコンパクトな設計が可能になり、同時に、３本の脚部によって３点で支持されるため、凹凸のある場所に載置した場合でもがたつきが有効に抑えられる。また、可動脚により作陶者の体格や好みに応じて適切に高さ調整できる。さらに、可動脚を取り除き固定脚のみとして卓上型として使用できる。
【図面の簡単な説明】
【００３８】
【図１】本発明の一実施形態が採用された陶芸用ろくろを一部破断及び透視して示す側面図。
【図２】前記陶芸用ろくろの平面図。
【符号の説明】
【００３９】
１  陶芸用ろくろ
３  ターンテーブル
５  ＤＤモータ
７  支持台
９  脚部
１１  固定脚
１１ａ  挿入孔
１３  可動脚
１３ａ  挿入孔
１５  ボルト
【図１】
2005074802.tif 000003
【図２】
2005074802.tif 000004